(57)【要約】【課題】インターネット上でのWebDVDユーザのナビゲーション、または所定のユーザが再生したことがあるディスクを、ウェブ・サイトが追跡することを防止または阻止する方法および関連のソフトウエアを提供すること。【解決手段】  DVDディスクがその上を走るDVDデバイスを含んだWebDVDシステムに関連するクッキーを処理するための方法、システム、およびコンピュータ・コード。DVDデバイスは、DVDディスクにより目標とされているウェブ・サイトに通信リンクによってリンクされている。クッキーは、このウェブ・サイトから受信されたクッキー生成コマンドによる指定通りにWebDVDシステムにより生成済みのものである。WebDVDシステムは、DVDディスクに関連付けられているコンテンツを含んだDVD拡張文字列をこのクッキーに加える。同じまたは他のDVDディスクにより目標とされているウェブ・サイトにリンクされたDVDデバイス上を同じまたは他のDVDディスクが後で走る場合に、DVD拡張文字列がこの同じまたは他のDVDディスクに関連付けられたコンテンツを含んでいればクッキーがウェブ・サイトに送信されるように、クッキーを選別することができる。
2005537564.tif 000002
【特許請求の範囲】
【請求項１】
WebDVDシステムにより、前記WebDVDシステムに含まれているDVDデバイスであって、前記DVDディスクにより目標とされているウェブ・サイトに通信リンクによりリンクされているDVDデバイス上でDVDディスクを走らせることと、
当該走らせることの間、クッキーを生成するクッキー生成コマンドを前記WebDVDシステムにより前記ウェブ・サイトから受信することと、
前記クッキー生成コマンドにより指定されているクッキーを前記WebDVDシステムにより生成することと、
前記DVDディスクに関連付けられている特定のコンテンツを含むDVD拡張文字列を前記WebDVDシステムにより前記クッキーに加えて、拡張されたクッキーを形成することと、
前記WebDVDシステムに含まれている読み込み可能なメモリ・デバイスに前記拡張されたクッキーを格納することと、
を含む、クッキーを拡張するための方法。
【請求項２】
当該格納が、前記読み込み可能なメモリ・デバイス内の第二クッキーを前記第一クッキーに置換することが、前記第二クッキーが、前記DVDディスクに関連付けられている前記特定のコンテンツを含んでいる場合に行われることを含む、請求項１の方法。
【請求項３】
前記DVD拡張文字列内に含ませる前記特定のコンテンツの部分を、前記DVDシステムのユーザにより選択することを更に含む、請求項１の方法。
【請求項４】
前記DVDディスクに関連付けられている前記特定のコンテンツが、前記DVDディスクのTitleIDとPublisherIDとを有する、請求項１の方法。
【請求項５】
前記DVDディスクに関連付けられている前記特定のコンテンツが、前記DVDディスクのTitleIDを有する、請求項１の方法。
【請求項６】
前記DVDディスクに関連付けられている前記特定のコンテンツが、前記DVDディスクのPublisherIDまたは前記DVDディスクのPublisherGroupIDを有する、請求項１の方法。
【請求項７】
前記DVDディスクに関連付けられている前記特定のコンテンツが、PublisherUniverseIDまたはWebUniverseIDを有する、請求項１の方法。
【請求項８】
前記DVDディスクに関連付けられている前記特定のコンテンツが、前記DVDディスクのDiscIDを有する、請求項１の方法。
【請求項９】
前記DVDディスクに関連付けられている前記特定のコンテンツが、前記DVDディスクが属するディスク・ファミリのDiscFamilyIdを有する、請求項１の方法。
【請求項１０】
前記DVDディスクに関連付けられている前記特定のコンテンツが、TitleID、PublisherID、PublisherGroupId、PublisherUniverseId、DiscID、DiscFamilyID、WebUniverseId、およびこれらの結合体から成る群から選択されたIDを有する、請求項１の方法。
【請求項１１】
前記DVDディスクに関連付けられている前記特定のコンテンツが、前記DVDディスク内に含まれているデータのハッシュ関数を有する、請求項１の方法。
【請求項１２】
前記DVD拡張文字列が、DVDプレフィックス拡張文字列である、請求項１の方法。
【請求項１３】
前記DVD拡張文字列が、DVDサフィックス拡張文字列である、請求項１の方法。
【請求項１４】
前記DVD拡張文字列が、DVD内部拡張文字列である、請求項１の方法。
【請求項１５】
前記WebDVDシステムが、前記DVDデバイスを含むWebDVDプレーヤを有する、請求項１の方法。
【請求項１６】
前記WebDVDプレーヤが、前記DVDディスクに関するデータを表示するための表示デバイスを含む、請求項15の方法。
【請求項１７】
前記表示デバイスが、前記WebDVDプレーヤの外部にある、請求項16の方法。
【請求項１８】
前記表示デバイスがテレビジョンである、請求項17の方法。
【請求項１９】
前記WebDVDシステムが、前記DVDデバイスを前記通信リンクに結合させるコンピュータ・システムを有し、かつ前記DVDデバイスが、前記コンピュータ・システムの外部にある、請求項１の方法。
【請求項２０】
前記WebDVDシステムが、前記DVDデバイスを前記通信リンクに結合させるコンピュータ・システムを有し、かつ前記DVDデバイスが、前記コンピュータ・システムの内部にある、請求項１の方法。
【請求項２１】
前記WebDVDシステムが、前記DVDデバイスと連動するように適合化された電子デバイスを更に含む、請求項１の方法。
【請求項２２】
家電デバイスが、前記DVDデバイスに結合された前記電子デバイスを含む、請求項21の方法。
【請求項２３】
前記家電デバイスが、ビデオ・ゲーム・プレーヤを有する、請求項22の方法。
【請求項２４】
前記家電デバイスが、DVD-VHSデバイスを有する、請求項22の方法。
【請求項２５】
前記通信リンクが、インターネットを有する、請求項１の方法。
【請求項２６】
DVDデバイスを含むWebDVDシステムの読み込み可能なメモリ・デバイスから、DVD拡張文字列を含んでいるクッキーを検索することと、
前記DVD拡張文字列が、前記DVDディスクに関連付けられている特定のコンテンツを含んでいない場合は、通信リンクにより前記ウェブ・サイトにリンクされている前記DVDデバイス上で走っているDVDディスクにより目標とされているウェブ・サイトへの前記クッキーの伝送を妨げることと、
を含む、クッキーを選別するための方法。
【請求項２７】
前記DVD拡張文字列が、前記DVDディスクに関連付けられている前記特定のコンテンツを含んでいる場合は、前記クッキーを前記ウェブ・サイトに伝送することを更に含む、請求項26の方法。
【請求項２８】
前記DVDディスクに関連付けられている特定のコンテンツが、前記DVDディスクのTitleIDとPublisherIDを有する、請求項26の方法。
【請求項２９】
前記DVDディスクに関連付けられている前記特定のコンテンツが、前記DVDディスクのTitleIDを有する、請求項26の方法。
【請求項３０】
前記DVDディスクに関連付けられている前記特定のコンテンツが、前記DVDディスクのPublisherIDを有する、請求項26の方法。
【請求項３１】
前記DVDディスクに関連付けられている前記特定のコンテンツが、前記DVDディスクのPublisherGroupIDを有する、請求項26の方法。
【請求項３２】
前記DVDディスクに関連付けられている前記特定のコンテンツが、PublisherUniverseIDまたはWebUniverseIDを有する、請求項26の方法。
【請求項３３】
前記DVDディスクに関連付けられている前記特定のコンテンツが、前記DVDディスクのDiscIDを有する、請求項26の方法。
【請求項３４】
前記DVDディスクに関連付けられている前記特定のコンテンツが、前記DVDディスクが属するディスク・ファミリのDiscFamilyIdを有する、請求項26の方法。
【請求項３５】
前記DVDディスクに関連付けられている前記特定のコンテンツが、TitleID、PublisherID、PublisherGroupId、PublisherUniverseId、DiscID、DiscFamilyID、WebUniverseId、およびこれらの結合体から成る群から選択されたIDを有する、請求項26の方法。
【請求項３６】
前記DVDディスクに関連付けられている前記特定のコンテンツが、前記DVDディスク内に含まれているデータのハッシュ関数を有する、請求項26の方法。
【請求項３７】
前記DVD拡張文字列が、DVDプレフィックス拡張文字列である、請求項26の方法。
【請求項３８】
前記DVD拡張文字列が、DVDサフィックス拡張文字列である、請求項26の方法。
【請求項３９】
前記DVD拡張文字列が、DVD内部拡張文字列である、請求項26の方法。
【請求項４０】
前記WebDVDシステムが、前記DVDデバイスを含むWebDVDプレーヤを有する、請求項26の方法。
【請求項４１】
前記WebDVDプレーヤが、前記DVDディスクに関連するデータを表示するための表示デバイスを含む、請求項40の方法。
【請求項４２】
前記表示デバイスが、前記WebDVDプレーヤの外部にある、請求項41の方法。
【請求項４３】
前記表示デバイスが、テレビジョンである、請求項42の方法。
【請求項４４】
前記WebDVDシステムが、前記DVDデバイスを前記通信リンクに結合させるコンピュータ・システムを有し、かつ前記DVDデバイスが、前記コンピュータ・システムの外部にある、請求項26の方法。
【請求項４５】
前記WebDVDシステムが、前記DVDデバイスを前記通信リンクに結合させるコンピュータ・システムを有し、かつ前記DVDデバイスが、前記コンピュータ・システムの内部にある、請求項26の方法。
【請求項４６】
前記WebDVDシステムが、前記DVDデバイスと連動するように適合化された電子デバイスを更に含む、請求項26の方法。
【請求項４７】
家電デバイスが、前記DVDデバイスに結合された前記電子デバイスを有する、請求項45の方法。
【請求項４８】
前記家電デバイスが、ビデオ・ゲーム・プレーヤを有する、請求項47の方法。
【請求項４９】
前記家電デバイスが、DVD-VHSデバイスを有する、請求項47の方法。
【請求項５０】
前記通信リンクが、インターネットを含む、請求項26の方法。
【請求項５１】
クッキーを拡張させるWebDVDシステムを有するネットワークであって、前記WebDVDシステムが、
前記DVDディスクにより目標とされているウェブ・サイトに通信リンクによりリンクされている、前記WebDVDシステムに含まれているDVDデバイス上で、DVDディスクを走らせ、
前記DVDディスクが前記DVDデバイス上で走っている間に、クッキーを生成するクッキー生成コマンドを前記ウェブ・サイトから受信し、
前記クッキー生成コマンドにより指定されているクッキーを生成し、
前記DVDディスクに関連付けられている特定のコンテンツを含んだDVD拡張文字列を前記クッキーに加えて、拡張されたクッキーを形成し、かつ、
前記WebDVDシステムに含まれている読み込み可能なメモリ・デバイス内に前記拡張されたクッキーを格納する、
ように適合化されたネットワーク。
【請求項５２】
前記拡張されたクッキーを格納することが、
前記読み込み可能なメモリ・デバイス内の第二クッキーを前記第一クッキーに置換することを、前記DVDディスクに関連付けられている前記特定のコンテンツを前記第二クッキーが含んでいる場合に行うこと、
を含む、請求項51のネットワーク。
【請求項５３】
前記WebDVDシステムが、前記DVD拡張文字列内に含ませる前記特定のコンテンツの部分を前記DVDシステムのユーザに選択させるように更に適合化されている、請求項51のネットワーク。
【請求項５４】
前記DVDディスクに関連付けられている前記特定のコンテンツが、前記DVDディスクのTitleIDとPublisherIDを含む、請求項51のネットワーク。
【請求項５５】
前記DVDディスクに関連付けられている前記特定のコンテンツが、前記DVDディスクのTitleIDを含む、請求項51のネットワーク。
【請求項５６】
前記DVDディスクに関連付けられている前記特定のコンテンツが、前記DVDディスクのPublisherIDまたは前記DVDディスクのPublisherGroupIDを有する、請求項51のネットワーク。
【請求項５７】
前記DVDディスクに関連付けられている前記特定のコンテンツが、PublisherUniverseIDまたはWebUniverseIDを有する、請求項51のネットワーク。
【請求項５８】
前記DVDディスクに関連付けられている前記特定のコンテンツが、前記DVDディスクのDiscIDを有する、請求項51のネットワーク。
【請求項５９】
前記DVDディスクに関連付けられている前記特定のコンテンツが、前記DVDディスクが属するディスク・ファミリのDiscFamilyIdを有する、請求項51のネットワーク。
【請求項６０】
前記DVDディスクに関連付けられている前記特定のコンテンツが、TitleID、PublisherID、PublisherGroupId、PublisherUniverseId、DiscID、DiscFamilyID、WebUniverseId、およびこれらの結合体から成る群から選択されたIDを有する、請求項51のネットワーク。
【請求項６１】
前記DVDディスクに関連付けられている前記特定のコンテンツが、前記DVDディスク内に含まれているデータのハッシュ関数を有する、請求項51のネットワーク。
【請求項６２】
前記DVD拡張文字列が、DVDプレフィックス拡張文字列である、請求項51のネットワーク。
【請求項６３】
前記DVD拡張文字列が、DVDサフィックス拡張文字列である、請求項51のネットワーク。
【請求項６４】
前記DVD拡張文字列が、DVD内部拡張文字列である、請求項51のネットワーク。
【請求項６５】
前記WebDVDシステムが、前記DVDデバイスを含むWebDVDプレーヤを有する、請求項51のネットワーク。
【請求項６６】
前記WebDVDプレーヤが、前記DVDディスクに関連するデータを表示するための表示デバイスを含む、請求項65のネットワーク。
【請求項６７】
前記表示デバイスが、前記WebDVDプレーヤの外部にある、請求項66のネットワーク。
【請求項６８】
前記表示デバイスが、テレビジョンである、請求項67のネットワーク。
【請求項６９】
前記WebDVDシステムが、前記DVDデバイスを前記通信リンクに結合させるコンピュータ・システムを有し、かつ前記DVDデバイスが、前記コンピュータ・システムの外部にある、請求項51のネットワーク。
【請求項７０】
前記WebDVDシステムが、前記DVDデバイスを前記通信リンクに結合させるコンピュータ・システムを有し、かつ前記DVDデバイスが、前記コンピュータ・システムの内部にある、請求項51のネットワーク。
【請求項７１】
前記WebDVDシステムが、前記DVDデバイスと連動するように適合化された電子デバイスを更に含む、請求項51のネットワーク。
【請求項７２】
家電デバイスが、前記DVDデバイスに結合された前記電子デバイスを有する、請求項71のネットワーク。
【請求項７３】
前記家電デバイスが、ビデオ・ゲーム・プレーヤを有する、請求項72のネットワーク。
【請求項７４】
前記家電デバイスが、DVD-VHSデバイスを有する、請求項72のネットワーク。
【請求項７５】
前記通信リンクが、インターネットを有する、請求項51のネットワーク。
【請求項７６】
クッキーを選別するためのWebDVDシステムを有するネットワークであって、前記WebDVDシステムが、
DVDデバイスを含んだWebDVDシステムの読み込み可能なメモリ・デバイスから、DVD拡張文字列を含んだクッキーを検索し、かつ、
前記DVD拡張文字列が、通信リンクにより前記ウェブ・サイトにリンクされている前記DVDディスクに関連付けられた特定のコンテンツを含んでいない場合は、前記DVDデバイス上を走るDVDディスクにより目標とされているウェブ・サイトへの前記クッキーの伝送を妨げる、
ように適合化されているネットワーク。
【請求項７７】
前記WebDVDシステムが、
前記DVD拡張文字列が、前記DVDディスクに関連付けられている特定のコンテンツを含んでいる場合には、前記クッキーを前記ウェブ・サイトに伝送するように更に適合化されている、
請求項76のネットワーク。
【請求項７８】
前記DVDディスクに関連付けられている前記特定のコンテンツが、前記DVDディスクのTitleIDとPublisherIDを有する、請求項76のネットワーク。
【請求項７９】
前記DVDディスクに関連付けられている前記特定のコンテンツが、前記DVDディスクのTitleIDを有する、請求項76のネットワーク。
【請求項８０】
前記DVDディスクに関連付けられている前記特定のコンテンツが、前記DVDディスクのPublisherIDを有する、請求項76のネットワーク。
【請求項８１】
前記DVDディスクに関連付けられている前記特定のコンテンツが、前記DVDディスクのPublisherGroupIDを有する、請求項76のネットワーク。
【請求項８２】
前記DVDディスクに関連付けられている前記特定のコンテンツが、PublisherUniverseIDまたはWebUniverseIDを有する、請求項76のネットワーク。
【請求項８３】
前記DVDディスクに関連付けられている前記特定のコンテンツが、前記DVDディスクのDiscIDを有する、請求項76のネットワーク。
【請求項８４】
前記DVDディスクに関連付けられている前記特定のコンテンツが、前記DVDディスクが属するディスク・ファミリのDiscFamilyIdを有する、請求項76のネットワーク。
【請求項８５】
前記DVDディスクに関連付けられている前記特定のコンテンツが、TitleID、PublisherID、PublisherGroupId、PublisherUniverseId、DiscID、DiscFamilyID、WebUniverseId、およびこれらの結合体から成る群から選択されたIDを有する、請求項76のネットワーク。
【請求項８６】
前記DVDディスクに関連付けられている前記特定のコンテンツが、前記DVDディスク内に含まれているデータのハッシュ関数を有する、請求項76のネットワーク。
【請求項８７】
前記DVD拡張文字列が、DVDプレフィックス拡張文字列である、請求項76のネットワーク。
【請求項８８】
前記DVD拡張文字列が、DVDサフィックス拡張文字列である、請求項76のネットワーク。
【請求項８９】
前記DVD拡張文字列が、DVD内部拡張文字列である、請求項76のネットワーク。
【請求項９０】
前記WebDVDシステムが、前記DVDデバイスを含むWebDVDプレーヤを有する、請求項76のネットワーク。
【請求項９１】
前記WebDVDプレーヤが、前記DVDディスクに関するデータを表示するための表示デバイスを含む、請求項90のネットワーク。
【請求項９２】
前記表示デバイスが、前記WebDVDプレーヤの外部にある、請求項91のネットワーク。
【請求項９３】
前記表示デバイスが、テレビジョンである、請求項92のネットワーク。
【請求項９４】
前記WebDVDシステムが、前記DVDデバイスを前記通信リンクに結合させるコンピュータ・システムを有し、かつ前記DVDデバイスが、前記コンピュータ・システムの外部にある、請求項76のネットワーク。
【請求項９５】
前記WebDVDシステムが、前記DVDデバイスを前記通信リンクに結合させるコンピュータ・システムを有し、かつ前記DVDデバイスが、前記コンピュータ・システムの内部にある、請求項76のネットワーク。
【請求項９６】
前記WebDVDシステムが、前記DVDデバイスと連動するように適合化された電子デバイスを更に含む、請求項76のネットワーク。
【請求項９７】
家電デバイスが、前記DVDデバイスに結合された前記電子デバイスを有する、請求項96のネットワーク。
【請求項９８】
前記家電デバイスが、ビデオ・ゲーム・プレーヤを有する、請求項97のネットワーク。
【請求項９９】
前記家電デバイスが、DVD-VHSデバイスを有する、請求項97のネットワーク。
【請求項１００】
前記通信リンクが、インターネットを有する、請求項76のネットワーク。
【請求項１０１】
クッキーを拡張するためのコンピュータが読み取り可能なプログラム・コードがその中で具現化された、コンピュータが使用可能な媒体、を有するコンピュータ・プログラム製品であって、
当該コンピュータ・コードが、WebDVDシステムの読み取り可能な格納デバイス内に埋め込まれており、
当該コンピュータ・コードが、
前記WebDVDシステムに含まれているDVDデバイスであって、前記DVDディスクにより目標とされているウェブ・サイトに通信リンクによりリンクされていることを特徴とするDVDデバイス上でDVDディスクを走らせ、
前記DVDディスクが前記DVDデバイス上を走っている間に、クッキーを生成するクッキー生成コマンドを前記ウェブ・サイトから受信し、
前記クッキー生成コマンドにより指定されているクッキーを生成し、
前記DVDディスクに関連付けられている特定のコンテンツを含んだDVD拡張文字列を前記クッキーに加えて、拡張されたクッキーを形成し、かつ、
前記拡張されたクッキーを、前記WebDVDシステムに含まれている読み込み可能なメモリ・デバイス内に格納する、
ように適合化されたアルゴリズムを有する、コンピュータ・プログラム製品。
【請求項１０２】
前記拡張されたクッキーを格納することが、
前記読み込み可能なメモリ・デバイス内の第二クッキーを前記第一クッキーに置換することを、前記DVDディスクに関連付けられている特定のコンテンツを前記第二クッキーが含んでいる場合に行うこと、
を含む、請求項101のコンピュータ・プログラム製品。
【請求項１０３】
前記アルゴリズムが、前記DVD拡張文字列内に含ませる前記特定のコンテンツの部分を前記DVDシステムのユーザに選択させるように更に適合化されている、請求項101のコンピュータ・プログラム製品。
【請求項１０４】
前記DVDディスクに関連付けられている前記特定のコンテンツが、前記DVDディスクのTitleIDとPublisherIDを有する、請求項101のコンピュータ・プログラム製品。
【請求項１０５】
前記DVDディスクに関連付けられている前記特定のコンテンツが、前記DVDディスクのTitleIDを有する、請求項101のコンピュータ・プログラム製品。
【請求項１０６】
前記DVDディスクに関連付けられている前記特定のコンテンツが、前記DVDディスクのPublisherIDまたは前記DVDの前記PublisherGroupIDを有する、請求項101のコンピュータ・プログラム製品。
【請求項１０７】
前記DVDディスクに関連付けられている前記特定のコンテンツが、PublisherUniverseIDまたはWebUniverseIDを有する、請求項101のコンピュータ・プログラム製品
【請求項１０８】
前記DVDディスクに関連付けられている前記特定のコンテンツが、前記DVDディスクのDiscIDを有する、請求項101のコンピュータ・プログラム製品、
【請求項１０９】
前記DVDディスクに関連付けられている前記特定のコンテンツが、前記DVDディスクが属するディスク・ファミリのDiscFamilyIdを有する、請求項101のコンピュータ・プログラム製品、
【請求項１１０】
前記DVDディスクに関連付けられている前記特定のコンテンツが、TitleID、PublisherID、PublisherGroupId、PublisherUniverseId、DiscID、DiscFamilyID、WebUniverseId、およびこれらの結合体から成る群から選択されたIDを有する、請求項101のコンピュータ・プログラム製品。
【請求項１１１】
前記DVDディスクに関連付けられている前記特定のコンテンツが、前記DVDディスク内に含まれているデータのハッシュ関数を有する、請求項101のコンピュータ・プログラム製品。
【請求項１１２】
前記DVD拡張文字列が、DVDプレフィックス拡張文字列である、請求項101のコンピュータ・プログラム製品。
【請求項１１３】
前記DVD拡張文字列が、DVDサフィックス拡張文字列である、請求項101のコンピュータ・プログラム製品。
【請求項１１４】
前記DVD拡張文字列が、DVD内部拡張文字列である、請求項101のコンピュータ・プログラム製品。
【請求項１１５】
前記WebDVDシステムが、前記DVDデバイスを含むWebDVDプレーヤを有する、請求項101のコンピュータ・プログラム製品。
【請求項１１６】
前記WebDVDプレーヤが、前記DVDディスクに関連するデータを表示するための表示デバイスを含む、請求項115のコンピュータ・プログラム製品。
【請求項１１７】
前記表示デバイスが、前記WebDVDプレーヤの外部にある、請求項116のコンピュータ・プログラム製品。
【請求項１１８】
前記表示デバイスが、テレビジョンである、請求項117のコンピュータ・プログラム製品。
【請求項１１９】
前記WebDVDシステムが、前記DVDデバイスを前記通信リンクに結合させるコンピュータ・システムを有し、かつ前記DVDデバイスが、前記コンピュータ・システムの外部にある、請求項10１のコンピュータ・プログラム製品。
【請求項１２０】
前記WebDVDシステムが、前記DVDデバイスを前記通信リンクに結合させるコンピュータ・システムを有し、かつ前記DVDデバイスが、前記コンピュータ・システム内にある、請求項101のコンピュータ・プログラム製品。
【請求項１２１】
前記WebDVDシステムが、前記DVDデバイスと連動するように適合化された電子デバイスを更に含む、請求項10１のコンピュータ・プログラム製品。
【請求項１２２】
家電デバイスが、前記DVDデバイスに結合された前記電子デバイスを有する、請求項121のコンピュータ・プログラム製品。
【請求項１２３】
前記家電デバイスが、ビデオ・ゲーム・プレーヤを有する、請求項122のコンピュータ・プログラム製品。
【請求項１２４】
前記家電デバイスが、DVD-VHSデバイスを有する、請求項122のコンピュータ・プログラム製品。
【請求項１２５】
前記通信リンクが、インターネットを有する、請求項10１のコンピュータ・プログラム製品。
【請求項１２６】
クッキーを選別するためのコンピュータが読み取り可能なプログラム・コードがその中で具現化された、コンピュータが使用可能な媒体、を有するコンピュータ・プログラム製品であって、
当該コンピュータ・コードが、WebDVDシステムの読み取り可能な格納デバイス内に埋め込まれており、
当該コンピュータ・コードが、
DVDデバイスを含むWebDVDシステムの読み込み可能なメモリ・デバイスから、DVD拡張文字列を含んだクッキーを検索し、
前記DVD拡張文字列が、前記DVDディスクに関連付けられた特定のコンテンツを含んでいない場合には、通信リンクにより前記ウェブ・サイトにリンクされている前記DVDデバイス上を走るDVDディスクにより対象とされているウェブ・サイトへの前記クッキーの伝送を妨げる、
ように適合化されたアルゴリズムを有する、コンピュータ・プログラム製品。
【請求項１２７】
前記アルゴリズムが、
前記DVDディスクに関連付けられている前記特定のコンテンツを前記DVD拡張文字列が含んでいる場合には、前記クッキーを前記ウェブ・サイトに伝送する、
ように更に適合化された、請求項126のコンピュータ・プログラム製品。
【請求項１２８】
前記DVDディスクに関連付けられている前記特定のコンテンツが、前記DVDディスクのTitleIDとPublisherIDを有する、請求項126のコンピュータ・プログラム製品。
【請求項１２９】
前記DVDディスクに関連付けられている前記特定のコンテンツが、前記DVDディスクのTitleIDを有する、請求項126のコンピュータ・プログラム製品。
【請求項１３０】
前記DVDディスクに関連付けられている前記特定のコンテンツが、前記DVDディスクのPublisherIDを有する、請求項126のコンピュータ・プログラム製品。
【請求項１３１】
前記DVDディスクに関連付けられている前記特定のコンテンツが、前記DVDディスクのPublisherGroupIDを有する、請求項126のコンピュータ・プログラム製品。
【請求項１３２】
前記DVDディスクに関連付けられている前記特定のコンテンツが、PublisherUniverseIDまたはWebUniverseIDを有する、請求項126のコンピュータ・プログラム製品。
【請求項１３３】
前記DVDディスクに関連付けられている前記特定のコンテンツが、前記DVDディスクのDiscIDを有する、請求項126のコンピュータ・プログラム製品。
【請求項１３４】
前記DVDディスクに関連付けられている前記特定のコンテンツが、前記DVDディスクが属するディスク・ファミリのDiscFamilyIdを有する、請求項126のコンピュータ・プログラム製品。
【請求項１３５】
前記DVDディスクに関連付けられている前記特定のコンテンツが、TitleID、PublisherID、PublisherGroupId、PublisherUniverseId、DiscID、DiscFamilyID、WebUniverseId、およびこれらの結合体から成る群から選択されたIDを有する、請求項126のコンピュータ・プログラム製品。
【請求項１３６】
前記DVDディスクに関連付けられている前記特定のコンテンツが、前記DVDディスク内に含まれているデータのハッシュ関数を有する、請求項126のコンピュータ・プログラム製品。
【請求項１３７】
前記DVD拡張文字列が、DVDプレフィックス拡張文字列である。請求項126のコンピュータ・プログラム製品。
【請求項１３８】
前記DVD拡張文字列が、DVDサフィックス拡張文字列である、請求項126のコンピュータ・プログラム製品。
【請求項１３９】
前記DVD拡張文字列が、DVD内部拡張文字列である、請求項126のコンピュータ・プログラム製品。
【請求項１４０】
前記WebDVDシステムが、前記DVDデバイスを含むWebDVDプレーヤを有する、請求項126のコンピュータ・プログラム製品。
【請求項１４１】
前記WebDVDプレーヤが、前記DVDディスクに関連するデータを表示するための表示デバイスを含む、請求項140のコンピュータ・プログラム製品。
【請求項１４２】
前記表示デバイスが、前記WebDVDプレーヤの外部にある、請求項141のコンピュータ・プログラム製品。
【請求項１４３】
前記表示デバイスが、テレビジョンである、請求項142のコンピュータ・プログラム製品。
【請求項１４４】
前記WebDVDシステムが、前記DVDデバイスを前記通信リンクに結合させるコンピュータ・システムを有し、かつ前記DVDデバイスが、前記コンピュータ・システムの外部にある、請求項126のコンピュータ・プログラム製品。
【請求項１４５】
前記WebDVDシステムが、前記DVDデバイスを前記通信リンクに結合させるコンピュータ・システムを有し、かつ前記DVDデバイスが前記コンピュータ・システム内にある、請求項126のコンピュータ・プログラム製品。
【請求項１４６】
前記WebDVDシステムが、前記DVDデバイスと連動するように適合化された電子デバイスを更に含む、請求項126のコンピュータ・プログラム製品。
【請求項１４７】
家電デバイスが、前記DVDデバイスに結合された前記電子デバイスを有する、請求項146のコンピュータ・プログラム製品。
【請求項１４８】
前記家電デバイスが、テレビ・ゲーム・プレーヤを有する、請求項147のコンピュータ・プログラム製品。
【請求項１４９】
前記家電デバイスが、DVD-VHSデバイスを有する、請求項147のコンピュータ・プログラム製品。
【請求項１５０】
前記通信リンクが、インターネットを有する、請求項126のコンピュータ・プログラム製品。
【請求項１５１】
DVDディスクがその上を走るDVDデバイスを含んだWebDVDシステムの読み込み可能なメモリ・デバイス内に埋め込まれた、DVD拡張文字列を有するクッキーであって、
前記DVD拡張文字列が、前記DVDディスクに関連付けられている特定のコンテンツを含んでいない場合には、前記クッキーがウェブ・サイトに伝送されず、かつ、
前記ウェブ・サイトが、前記DVDディスクにより目標とされており、かつ通信リンクにより前記DVDディスクにリンクされている、
クッキー。
【請求項１５２】
前記DVD拡張文字列が、前記DVDディスクに関連付けられている前記特定のコンテンツを含んでいる場合は、前記クッキーが前記ウェブ・サイトに伝送される、請求項１のクッキー。
【請求項１５３】
前記DVDディスクに関連付けられている前記特定のコンテンツが、前記DVDディスクのTitleIDとPublisherIDを有する、請求項１のクッキー。
【請求項１５４】
前記DVDディスクに関連付けられている前記特定のコンテンツが、前記DVDディスクのTitleIDを有する、請求項１のクッキー。
【請求項１５５】
前記DVDディスクに関連付けられている前記特定のコンテンツが、前記DVDディスクのPublisherIDを有する、請求項１のクッキー。
【請求項１５６】
前記DVDディスクに関連付けられている前記特定のコンテンツが、前記DVDディスクのPublisherGroupIDを有する、請求項１のクッキー。
【請求項１５７】
前記DVDディスクに関連付けられている前記特定のコンテンツが、PublisherUniverseIDまたはWebUniverseIDを有する、請求項１のクッキー。
【請求項１５８】
前記DVDディスクに関連付けられている前記特定のコンテンツが、前記DVDディスクのDiscIDを有する、請求項１のクッキー。
【請求項１５９】
前記DVDディスクに関連付けられている前記特定のコンテンツが、前記DVDディスクが属するディスク・ファミリのDiscFamilyIdを有する、請求項１のクッキー。
【請求項１６０】
前記DVDディスクに関連付けられている前記特定のコンテンツが、TitleID, PublisherID, PublisherGroupId、PublisherUniverseId、DiscID、DiscFamilyID、WebUniverseId、およびこれらの結合体から成る群から選択されたIDを有する、請求項１のクッキー。
【請求項１６１】
前記DVDディスクに関連付けられている前記特定のコンテンツが、前記DVDディスク内に含まれたデータのハッシュ関数を有する、請求項１のクッキー。
【請求項１６２】
前記DVD拡張文字列が、DVDプレフィックス拡張文字列である、請求項１のクッキー。
【請求項１６３】
前記DVD拡張文字列が、DVDサフィックス拡張文字列である、請求項１のクッキー。
【請求項１６４】
前記DVD拡張文字列が、DVD内部拡張文字列である、請求項１のクッキー。
【請求項１６５】
前記WebDVDシステムが、前記DVDデバイスを含むWebDVDプレーヤを有する、請求項１のクッキー。
【請求項１６６】
前記WebDVDプレーヤが、前記DVDディスクに関するデータを表示するための表示デバイスを含む、請求項165のクッキー。
【請求項１６７】
前記表示デバイスが、前記WebDVDプレーヤの外部にある、請求項166のクッキー。
【請求項１６８】
前記表示デバイスが、テレビジョンである、請求項167のクッキー。
【請求項１６９】
前記WebDVDシステムが、前記DVDデバイスを前記通信リンクに結合させるコンピュータ・システムを有し、かつ前記DVDデバイスが、前記コンピュータ・システムの外部にある、請求項１のクッキー。
【請求項１７０】
前記WebDVDシステムが、 前記DVDデバイスを前記通信リンクに結合させるコンピュータ・システムを有し、かつ前記DVDデバイスが、前記コンピュータ・システム内にある、請求項１のクッキー。
【請求項１７１】
前記WebDVDシステムが、前記DVDデバイスと連動するように適合化された電子デバイスを更に含む、請求項１のクッキー。
【請求項１７２】
家電デバイスが、前記DVDデバイスに結合された前記電子デバイスを有する、請求項21のクッキー。
【請求項１７３】
前記家電デバイスが、テレビ・ゲーム・プレーヤを有する、請求項172のクッキー。
【請求項１７４】
前記家電デバイスが、DVD-VHSデバイスを有する、請求項172のクッキー。
【請求項１７５】
前記通信リンクが、インターネットを有する、請求項１のクッキー。
【発明の詳細な説明】
【技術分野】
【０００１】
本発明は、ウェブ・サイトのウェブ・コンテンツへのリンクを持つDVDディスクを走らせるための方法、システム、およびコンピュータ・コードであって、このウェブ・コンテンツがDVDディスク上のコンテンツに直接関連付けられていること、およびこのシステムが、DVD拡張文字列をクッキーに加えて、拡張されたクッキーを形成し、その後このクッキーをウェブ・サイトへ伝送し返すべきか否かを決定するためにこのDVD拡張文字列を用いることを特徴とする、方法、システム、およびコンピュータ・コードに関する。
【背景技術】
【０００２】
WebDVDとは、デジタル汎用ディスク (Digital Versatile Disc: DVD) またはデジタル・ビデオ・ディスク (Digital Video Disc: DVD) がウェブ・サイトのウェブ・コンテンツにリンクされ、このウェブ・コンテンツがDVDディスク上のコンテンツに直接関連付けられる技術のことである。DVDディスク上のコンテンツは、ビデオ・コンテンツおよびオーディオ・コンテンツを含むことができる。WebDVDは、デジタル汎用ディスクまたはデジタル・ビデオ・ディスク (DVD) をインターネット技術に組み合わせることにより、DVDにより可能となる高品質なビデオ・データとオーディオ・データへの高速アクセスを行うと共に、インターネット技術により可能となる利点（例えば、相互作用性、動的更新など）をもたらす。例えばWebDVDは、HTMLウェブ・ページを用いてローカルなDVDを強調することを可能にする。
【０００３】
インターネット技術においてクッキーは、通常「クッキー・ファイル」と呼ばれる、テキストファイル内のテキスト文字列であり、ウェブ・ユーザのマシン（例えばコンピュータ、DVDデバイスなど）上に格納される。クッキーに関する情報は、RFC2965（http://www.ietf.org/rfc/rfc2965.txtを参照されたい）から得ることができる。
【０００４】
クッキーは、ウェブ・ユーザを識別するためにウェブ・サイトのウェブ・サーバにより用いられる。ウェブ・サイトからのウェブ・コンテンツを求める、ユーザのウェブ・ブラウザからウェブ・サイトへの要求に応答して、ウェブ・サーバは（各パラメータを含んだ）「Set-Cookie」コマンドをブラウザに送信する。これに応答して、ブラウザは「Set-Cookie」コマンド内のパラメータに基づいてクッキーを生成し、生成されたクッキーをクッキー・ファイルに加える。クッキー・ファイルはクッキーを１つ以上有することができる。このようなクッキーは各々、ウェブ・サイトからの「Set-Cookie」コマンドから得られる。したがってクッキー・ファイル内の異なるクッキーは、異なるウェブ・サイトと相関している。（特定のクッキーを生じさせた）ユーザのマシンに「Set-Cookie」コマンドを以前に送信した同じウェブ・サーバからのファイルまたはウェブ・ページをウェブ・ブラウザが後で要求する際、このブラウザは当該ファイルまたは当該ウェブ・ページに対する要求と共に、この特定のクッキーのコピーを同じウェブ・サーバへ返送する。したがってこの同じサーバからの別のファイルまたはウェブ・ページをユーザが要求するとサーバは必ずクッキーをユーザに送信して、ユーザのブラウザはこのクッキーを返送する。こうして、この同じサーバはユーザがそのウェブ・サイトを以前に訪問したことがあると決定し、このウェブ・サイトをこの特定ユーザに合わせてカスタマイズすることが可能となる。例えば、インターネット・ショッピングのウェブ・サイトはクッキーを用いて、ユーザにより供給された（例えば名前、アドレスなどの）データ、および特定ユーザの注文の特徴を追跡する。
【０００５】
ある特定のクッキーは、この特定のクッキーをブラウザに送信したサーバにしか戻されない。このことは、特定のクッキーを用いて、幾つかの異なるウェブ・サイトに渡るユーザの行動を追跡することは不可能であると示唆しているように思われる。しかしながら実際には、多数のウェブ・サイトにはウェブ広告代理店からのバナー広告が含まれており、当該多数のウェブ・サイトはこれらのウェブ・ページ内に、このウェブ広告代理店へのリンクを埋め込んでいる。したがって、ユーザが当該多数のウェブ・サイトの内の1つへ行くと、ブラウザはウェブ広告代理店のウェブ・サイトにもこのユーザをリンクさせる。この埋め込まれたリンクにより、ウェブ広告代理店はユーザのマシン内にクッキーを格納することができる。このウェブ広告代理店は、当該多数のウェブ・サイトの他のウェブ・サイトにも同様にリンクされているので、ウェブ広告代理店は、当該多数のウェブ・サイト全体に渡ってユーザの訪問先を追跡することができる。このことにより、訪問されたウェブ・サイトに基づいてユーザへの広告を定めることが可能となるが、これはプライバシーの侵害と見なされる場合がある。同様に、１つ以上のウェブ・サイトにリンクされている複数のディスクをWebDVDユーザが再生すると、ユーザが再生したことがあるディスクをウェブ・サーバが追跡することがクッキーにより可能となるが、これも同様にプライバシーの侵害と見なされる場合がある。
【０００６】
したがってWebDVDに関しては、インターネット上でのWebDVDユーザのナビゲーションをウェブ・サイトが追跡することを防止または阻止する必要がある。所定のユーザが再生したことがあるディスクをウェブ・サイトが追跡することを防止または阻止する必要もある。
【発明の開示】
【課題を解決するための手段】
【０００７】
第一実施例では、本発明は、
WebDVDシステムにより、前記WebDVDシステムに含まれているDVDデバイスであって、前記DVDディスクにより目標とされているウェブ・サイトに通信リンクによりリンクされているDVDデバイス上でDVDディスクを走らせることと、
当該走らせることの間、クッキーを生成するクッキー生成コマンドを前記WebDVDシステムにより前記ウェブ・サイトから受信することと、
前記クッキー生成コマンドにより指定されているクッキーを前記WebDVDシステムにより生成することと、
前記DVDディスクに関連付けられている特定のコンテンツを含むDVD拡張文字列を前記WebDVDシステムにより前記クッキーに加えて、拡張されたクッキーを形成することと、
前記WebDVDシステムに含まれている読み込み可能なメモリ・デバイスに前記拡張されたクッキーを格納することと、
を含む、クッキーを拡張するための方法、
を提供する。
【０００８】
第二実施例では、本発明は、
DVDデバイスを含むWebDVDシステムの読み込み可能なメモリ・デバイスから、DVD拡張文字列を含んでいるクッキーを検索することと、
前記DVD拡張文字列が、前記DVDディスクに関連付けられている特定のコンテンツを含んでいない場合は、通信リンクにより前記ウェブ・サイトにリンクされている前記DVDデバイス上で走っているDVDディスクにより目標とされているウェブ・サイトへの前記クッキーの伝送を妨げることと、
を含む、クッキーを選別するための方法、
を提供する。
【０００９】
第三実施例では、本発明は、
クッキーを拡張させるWebDVDシステムを有するネットワークであって、前記WebDVDシステムが、
前記DVDディスクにより目標とされているウェブ・サイトに通信リンクによりリンクされている、前記WebDVDシステムに含まれているDVDデバイス上で、DVDディスクを走らせ、
前記DVDディスクが前記DVDデバイス上で走っている間に、クッキーを生成するクッキー生成コマンドを前記ウェブ・サイトから受信し、
前記クッキー生成コマンドにより指定されているクッキーを生成し、
前記DVDディスクに関連付けられている特定のコンテンツを含んだDVD拡張文字列を前記クッキーに加えて、拡張されたクッキーを形成し、かつ、
前記WebDVDシステムに含まれている読み込み可能なメモリ・デバイス内に前記拡張されたクッキーを格納する、
ように適合化されたネットワーク、
を提供する。
【００１０】
第四実施例では、本発明は、
クッキーを選別するためのWebDVDシステムを有するネットワークであって、前記WebDVDシステムが、
DVDデバイスを含んだWebDVDシステムの読み込み可能なメモリ・デバイスから、DVD拡張文字列を含んだクッキーを検索し、かつ、
前記DVD拡張文字列が、通信リンクにより前記ウェブ・サイトにリンクされている前記DVDディスクに関連付けられた特定のコンテンツを含んでいない場合は、前記DVDデバイス上を走るDVDディスクにより目標とされているウェブ・サイトへの前記クッキーの伝送を妨げる、
ように適合化されているネットワーク、
を提供する。
【００１１】
第五実施例では、本発明は、
クッキーを拡張するためのコンピュータが読み取り可能なプログラム・コードがその中で具現化された、コンピュータが使用可能な媒体、を有するコンピュータ・プログラム製品であって、
当該コンピュータ・コードが、WebDVDシステムの読み取り可能な格納デバイス内に埋め込まれており、
当該コンピュータ・コードが、
前記WebDVDシステムに含まれているDVDデバイスであって、前記DVDディスクにより目標とされているウェブ・サイトに通信リンクによりリンクされていることを特徴とするDVDデバイス上でDVDディスクを走らせ、
前記DVDディスクが前記DVDデバイス上を走っている間に、クッキーを生成するクッキー生成コマンドを前記ウェブ・サイトから受信し、
前記クッキー生成コマンドにより指定されているクッキーを生成し、
前記DVDディスクに関連付けられている特定のコンテンツを含んだDVD拡張文字列を前記クッキーに加えて、拡張されたクッキーを形成し、かつ、
前記拡張されたクッキーを、前記WebDVDシステムに含まれている読み込み可能なメモリ・デバイス内に格納する、
ように適合化されたアルゴリズムを有する、コンピュータ・プログラム製品、
を提供する。
【００１２】
第六実施例では、本発明は、
クッキーを選別するためのコンピュータが読み取り可能なプログラム・コードがその中で具現化された、コンピュータが使用可能な媒体、を有するコンピュータ・プログラム製品であって、
当該コンピュータ・コードが、WebDVDシステムの読み取り可能な格納デバイス内に埋め込まれており、
当該コンピュータ・コードが、
DVDデバイスを含むWebDVDシステムの読み込み可能なメモリ・デバイスから、DVD拡張文字列を含んだクッキーを検索し、
前記DVD拡張文字列が、前記DVDディスクに関連付けられた特定のコンテンツを含んでいない場合には、通信リンクにより前記ウェブ・サイトにリンクされている前記DVDデバイス上を走るDVDディスクにより対象とされているウェブ・サイトへの前記クッキーの伝送を妨げる、
ように適合化されたアルゴリズムを有する、コンピュータ・プログラム製品、
を提供する。
【００１３】
第七実施例では、本発明は、
DVDディスクがその上を走るDVDデバイスを含んだWebDVDシステムの読み込み可能なメモリ・デバイス内に埋め込まれた、DVD拡張文字列を有するクッキーであって、
前記DVDディスクに関連付けられている特定のコンテンツを前記DVD拡張文字列が含んでいない場合には、前記クッキーがウェブ・サイトに伝送されず、かつ、
前記ウェブ・サイトが、前記DVDディスクにより目標とされており、かつ通信リンクにより前記DVDディスクにリンクされている、クッキー、
を提供する。
【００１４】
本発明は、インターネット上でのWebDVDユーザのナビゲーションをウェブ・サイトが追跡することを防止または阻止する方法および関連のソフトウエアを提供する。本発明は、所定のユーザが再生したことがあるディスクをウェブ・サイトが追跡することを防止または阻止する方法および関連のソフトウエアも提供する。
【発明を実施するための最良の形態】
【００１５】
図1は、本発明の実施例による、WebDVDシステム90とウェブ・サイト82を有するネットワーク200を表している。WebDVDシステム90は、通信リンク80によりウェブ・サイト82にリンクされている。「DVD」とは、デジタル汎用ディスク (Digital Versatile Disc) またはデジタル・ビデオ・ディスク (Digital Video Disc) を意味する。通信リンク80は、ウェブ・サイト82がリンクされたインターネット、イントラネットなどを含んでもよい。ウェブ・サイト82は、ウェブ・コンテンツ（例えば、ウェブ・ページ）を生成する。本出願ではこのウェブ・コンテンツは、インターネットに結合されたサーバ上で利用可能な何れのコンテンツも含む、インターネットに基づくいかなるタイプのコンテンツも含んでいると理解されている。ウェブ・サイト82は、とりわけ、インターネットに結合されたサーバ上に格納されているいかなる情報も含んでよい。
【００１６】
WebDVDシステム90は、プロセッサ91、DVDデバイス99、電子デバイス100、入力デバイス92、メモリ・デバイス94、表示デバイス95、および出力デバイス93を有する。プロセッサ91は、通信リンク80、DVDデバイス99、電子デバイス100、入力デバイス92、メモリ・デバイス94、表示デバイス95、および出力デバイス93に結合されている。様々な実施例では、前述のデバイスが１つ以上存在しなくてもよい。
【００１７】
DVDデバイス99は、DVDディスク上での読み取りおよび／または書き込みを行うデバイスまたは装置である。DVDデバイス99は、DVDディスク11を保有しているものとして図2に示されている。DVDデバイス99に関する説明は以下で行う。DVDディスク11は図3に示されている。DVDディスク11に関する説明は以下で行う。
【００１８】
図1では、電子デバイス100は、DVDデバイス99と併用してもよい１つ以上の電子デバイスであり、かつ一体化された電子デバイス（例えば、家電デバイス）の構成要素でもよい。妥当な家電デバイスの例には、とりわけ、ビデオ・ゲーム・プレーヤ（例えば、ソニー・プレイステーション2（登録商標））、VHSビデオ・カセット・レコーダを表す電子デバイス100に結合されたDVDデバイス99を含むDVD-VHSデバイス、ステレオ・コンポーネントを表す電子デバイス100に結合されたDVDデバイス99を含むステレオ・システムが含まれる。所定の実施例では、電子デバイス100はWebDVDシステム90内に存在しても存在しなくてもよい。
【００１９】
メモリ・デバイス94は、とりわけ、ハード・ディスク、フロッピー（登録商標）ディスク、磁気テープ、光学格納装置（例えば、読み取り能力／書き込み能力および／またはリードオンリー能力を有するDVDディスクまたはコンパクト・ディスク(CD)）、ダイナミック・ランダム・アクセス・メモリ（DRAM）、フラッシュ・メモリ、リードオンリー・メモリ（ROM: read-only memory）などのものでよい。メモリ・デバイス94には、ソフトウエア、すなわちコンピュータ・コード97が含まれている。図4、図5、および図6A〜6Cとの関連で下述するように、コンピュータ・コード97には、DVD拡張文字列をクッキーに加えて拡張されたクッキーを形成し、その後このDVD拡張文字列を用いて、このクッキーをウェブ・サイトに伝送すべきか否かを決定するためのアルゴリズムが含まれている。プロセッサ91は、コンピュータ・コード97を実行する。メモリ・デバイス94には、コンピュータ・コード97により用いられる入力を含んだ入力データ96を更に含めてもよい。メモリ・デバイス94には、ウェブ・サイトのウェブ・ページから導出されたDVDデータ、DVDディスク（例えば、下述する図2と図3に示すDVDディスク11）から導出されたDVDデータなどを特に有するDVDデータ98を更に含めてもよい。
【００２０】
メモリ・デバイス94（または図1には図示しない１つ以上の付加的なメモリ・デバイス）は、プログラム・コードとプログラム・データの格納、およびプログラム・コードとプログラム・データの読み取りを目的とする読み込み可能な媒体として具現化してもよい。メモリ・デバイス94は、とりわけ、コンピュータが使用可能な媒体、コンピュータが読み取り可能な媒体、プログラム格納デバイス、読み込み可能なメモリ・デバイス、データ格納デバイスなどでよい。メモリ・デバイス94は、メモリ・デバイス94の中で具現化されるおよび／またはメモリ・デバイス94内に格納された他のデータを持つ、読み込み可能なプログラム・コード（例えば、コンピュータ・コード97を有する、コンピュータが読み取り可能なプログラム・コード）を持ってもよい。一般に、コンピュータ・システム90のコンピュータ・プログラム製品（またはこれに代えて製造物）は、当該メモリ・デバイス94を有してもよい。
【００２１】
表示デバイス95は、表示画面（例えば、テレビジョン、モニタなど）を持つ任意のデバイスである。
【００２２】
入力デバイス92は、とりわけ、キーボード、マウス、ジョイスティック、これらの結合物などでよい。
【００２３】
出力デバイス93は、とりわけ、プリンタ、プロッタ、コンピュータ画面、磁気テープ、リムーバブル・ハードディスク、フロッピー（登録商標）ディスクなどの１つ以上の出力デバイスを表している。出力デバイス93は、コンピュータ・コード97からの出力を表示することができる。出力デバイス93は、DVDデバイス99内を走るDVDディスクからの出力を表現することもできる。したがって、出力デバイスをスピーカなどの可聴デバイスにしてもよい。勿論、DVDデバイス99自体に、DVDディスク上で再生されている対象コンテンツを可聴表現するためのスピーカを含めてもよい。所定の実施例では、出力デバイス93はWebDVDシステム90内に存在しても存在しなくてもよい。
【００２４】
図1は、WebDVDシステム90をハードウエアとソフトウエアの特定の構成として示しているが、当業者には公知なように、本特許出願で言及されている目的に対して、ハードウエアとソフトウエアの任意の構成を図9の特定のコンピュータ・システム90と併用してもよい。例えば、1つ以上の付加的な複数のメモリ・デバイスを、単一のメモリ・デバイス94の代わりに使用してもよい。別の例として、WebDVDシステム90の様々な構成要素を相互に直接結合させてもよい（例えば、DVDデバイス99と電子デバイス100を直接相互に結合して単一のデバイスにしてもよい）。
【００２５】
WebDVDシステム90は、とりわけ、DVDプレーヤによる実施例、コンピュータ・システムによる実施例、および一体化されたデバイスによる実施例などの様々な実施例にしたがって構成してもよい。
【００２６】
DVDプレーヤによる実施例の場合、WebDVDシステム90は、DVDデバイス99、プロセッサ91、入力デバイス92、およびメモリ・デバイス94を含むDVDプレーヤを有する。このDVDプレーヤは、表示デバイス95を内部に含んでもよいし、または表示デバイス95に結合させて、表示デバイス95がDVDプレーヤの外部にあるがWebDVDシステム90の内部にあるようにしてもよい。外部の表示デバイスとしては、表示デバイス95はテレビまたはモニタでよい。
【００２７】
コンピュータ・システムによる実施例の場合、WebDVDシステム90は、プロセッサ91、入力デバイス92、メモリ・デバイス94、出力デバイス93、および表示デバイス95（例えば、コンピュータ・モニタ）を含むコンピュータ・システムを有する。このコンピュータ・システムは、DVDデバイス99を内部に含んでもよいし、またはDVDデバイス99に結合させて、DVDデバイス99がこのコンピュータ・システムの外部にあるがWebDVDシステム90の内部にあるようにしてもよい。
【００２８】
一体化されたデバイスによる実施例の場合、WebDVDシステム90は、DVDデバイス99、家電デバイスの形態をした電子デバイス100、プロセッサ91、入力デバイス92、およびメモリ・デバイス94を含む一体化されたデバイスを有する。この一体化されたデバイスは、表示デバイス95を内部に含んでもよいし、または表示デバイス95に結合させて、表示デバイス95がこの一体化されたデバイスの外部にあるがWebDVDシステム90の内部にあるようにしてもよい。外部の表示デバイスとして、表示デバイス95はテレビまたはモニタでよい。上述したように、この一体化されたデバイスは、ビデオ・ゲーム・プレーヤ、DVD-VHSデバイス、ステレオ・システムなどを有してもよい。
【００２９】
図2は、本発明の実施例による、DVDディスク11が上に配置された図1のDVDデバイス99を表している。図1のウェブ・サイト82は、DVDディスク11により目標とされている。このことは、DVDディスク11がDVDデバイス99上を走っている場合しか、DVDディスク11に関連付けられているウェブ・コンテンツにWebDVDシステム90がアクセスできないことを意味する。DVDデバイス99を用いて、DVDディスク11の読み取り、（DVDディスク11が書き換え可能なディスクの場合の）DVDディスク11への書き込み、またはこれらの両方を行うことができる。したがって読み取り／書き込みヘッド22は、DVDディスク11上のスポット23で、データの読み込みまたは書き込みを行う。駆動装置21はDVDディスク11をスピンドル27上で回転させ、位置決め装置25はDVDディスク11の中心と外側の境界間でヘッド22を半径方向に移動させる。DVDデバイス99を用いてDVDディスク11の読み取りを行う場合、ヘッド22は読み取りヘッドとして機能し、データ装置28は、ヘッド22により読み取られたデータを検索する。DVDデバイス99を用いてDVDディスク11への書き込みを行う場合、ヘッド22は書き込みヘッドとして機能し、データ装置28はデータ・ソース（図示せず）からのデータをヘッド22に分布し、続いて書き込みが行われる。図2に表されているDVDデバイス99は単なる例示的なものなので、従来技術で当業者に公知の任意の手法に変えて、DVDディスクの読み取りまたはDVDディスクへの書き込みを行ってもよい。
【００３０】
図3は、本発明の実施例による、図2のDVDディスク11を表している。DVDディスク11は、図2のスピンドル27上に合致する中心の穴10を持っている。DVDディスク11は、トラック19が示す平行なトラックを実質的に組成する旋回状の螺旋パターンにしたがってアレンジされている。DVDディスク11上には、トラックに沿って記録される光学的に検出可能なマーク（例えば、ピットとランド）により情報を表すことができる。DVDディスク11は、特定タイプの情報を記録するための特別な領域またはエリアを持つことができる。例えば、WebDVDユーザにより再生されることを目的としたDVD対象コンテンツ以外のデータ（例えば、映画）を格納するために、補助的なデータ・エリア12を用いてもよい。このような補助的なデータの例には、テーブル、ポインタ、WebDVDユーザにより再生されることを目的としたDVD対象コンテンツのフォーマットIDなどが含まれる。WebDVDユーザにより再生されることを目的としたこのDVD対象コンテンツには、ビデオ情報、オーディオ情報、またはこれらの両方を含めてよい。
【００３１】
図4、図5、および図6A〜6Cとの関連で下述するように、本発明は、インターネット上またはイントラネット上でのWebDVDユーザのナビゲーションをウェブ・サイトが追跡することを防止または阻止する方法、システム、および関連のソフトウエアを提供する。下述するように、当該方法、当該システム、および当該関連のソフトウエアは、DVD拡張文字列を通常のクッキーに加えることに関連している。クッキーの背景解説に関しては「背景技術」セクションを参照されたい。「背景技術」セクションで参照されている「Set-Cookie」は、本発明のコンテクストでは、クッキー生成コマンドの一実施例として見なされている。ウェブ・サイト82からのウェブ・コンテンツを求める、コンピュータ・コード97からウェブ・サイトへの要求に応答して、ウェブ・サイト82は、パラメータを含んだクッキー生成コマンド（例えば「Set-Cookie」コマンド）をコンピュータ・コード97に送信する。これに応答してコンピュータ・コード97は、このクッキー生成コマンド内のパラメータに基づいてクッキーを生成し、生成されたクッキーを、メモリ・デバイス94内に格納されているクッキー・ファイルに加える。
【００３２】
図4は、本発明の実施例によるクッキー・ファイル30を表している。クッキー・ファイル30には、N個（Nは少なくとも1である）のクッキー（クッキー1、クッキー2、... 、クッキーN）が含まれている。このようなクッキーは各々、「属性」と呼ばれるテキスト文字列を有する。これらの属性は、クッキー生成コマンド内のパラメータから導出される。通常のクッキーは、以下の属性を幾つかまたは全て有することができる。
クッキーの名前。
クッキーの値。これは現在のセッションおよび／または以前のセッションに関する状態情報などのデータを含むことができる。
クッキーの有効期限。これはユーザがウェブ・ブラウザに接続されている現在のセッションの終わりをデフォルトとする。
ドメイン名。これはウェブ・ブラウザにクッキーを送信したウェブ・サイトのアドレスを含んでおり、ブラウザからクッキーを受信するサーバを含む同じサブドメイン内に複数のサーバを許容するように設定可能である。
経路。これは内部のクッキーが有効なURL (Universal Resource Locator) またはURI (Universal Resource Identifier) またはURN (Universal Resource Name) の経路識別子を識別し、かつクッキーを作成したウェブ・サイトのURL、URI、またはURN経路をデフォルトとする。
セキュリティ。これを用いて、サーバとの安全な接続下（例えばSSL）でしかクッキーをウェブ・サイトに送信してはならないことを指定できる。
【００３３】
図5は、本発明の実施例による通常のクッキー32を表している。コンピュータ・コード97（図1を参照されたい）はDVD拡張文字列34（図6A〜6Cを参照されたい）を通常のクッキー32に加えて、「拡張されたクッキー」を形成する。ここでVD拡張文字列34には、WebDVDシステム90のDVDデバイス99上を走るDVDディスク11（図1と図2を参照されたい）に関連付けられた特定のコンテンツが含まれている。図6A、図6B、および図6Cの拡張されたクッキーが各々示すように、通常のクッキー32のどこにDVD拡張文字列を加えて拡張されたクッキーが形成されたのかに応じて、DVD拡張文字列34はプレフィックス拡張文字列、サフィックス拡張文字列、および内部拡張文字列の形態を採ることができる。
【００３４】
図6Aは拡張されたクッキー41を、本発明の実施例にしたがって、プレフィックス拡張文字列として位置付けらたDVD拡張文字列34を用いて図5の通常のクッキー32を拡張したものとして表している。図6Aでは、DVD拡張文字列34は通常のクッキー32の先頭にあるプレフィックスとして位置付けられている。
【００３５】
図6Bは拡張されたクッキー42を、本発明の実施例にしたがって、サフィックス拡張文字列として位置付けられたDVD拡張文字列34を用いて図5の通常のクッキー32を拡張したものとして表している。図6Bでは、DVD拡張文字列34は通常のクッキー32の後ろにあるサフィックスとして位置付けられている。
【００３６】
図6Cは拡張されたクッキー43を、本発明の実施例にしたがって、内部拡張文字列として位置付けられたDVD拡張文字列34を用いて図5の通常のクッキー32を拡張したものとして表している。図6Cでは、DVD拡張文字列34は通常のクッキー32の左部分36と通常のクッキー32の右部分36との間にはさまれている。
【００３７】
図6A〜6Cに示すように、DVD拡張文字列34は、通常のクッキー32に対する任意の空間関係で位置付けてよい。DVD拡張文字列34のテキストが特定されたコンテンツは、コンピュータ・コード97により設定されるクッキー属性であって、WebDVDシステム90のDVDデバイス99上を走るDVDディスク11に関連付けられた特定のコンテンツを含むクッキー属性として見なしてよい。DVDディスク11に関連付けられた特定のコンテンツの例に関しては以下に説明する。コンピュータ・コード97は、図7と図8のフローチャートに示す処理ステップにしたがって通常のクッキー32に対するウェブ・サイトのアクセスを条件付きで除外するフィルタとして、DVD拡張文字列34を用いる。
【００３８】
図7はステップ51〜55を示すフローチャートであり、本発明の実施例にしたがって、通常のクッキーの処理時にDVD拡張文字列を通常のクッキーに加えることを表している。図7のステップ51〜55の以下の説明で参照されている図面参照番号に関しては、図1と図2を参照されたい。ステップ51で、WebDVDユーザはDVDデバイス99上でDVDディスク11を走らせる。DVDディスク11は、WebDVDシステム90との通信（例えばウェブ・ページの送信）をDVDディスク11との関連で行うために目標とされているウェブ・サイト82を識別する。したがって、ウェブ・サイト82はDVDディスク11により目標とされている、と言うべきである。DVDディスク11上のDVDデータまたはDVD対象コンテンツにコンピュータ・コード97が瞬時にアクセスできるように、DVDディスク11がDVDデバイス99に結合されかつ十分に活性化されている場合には、DVDディスク11はDVDデバイス99上を「走る」（または「走っている」）、と言うべきである。ステップ52でコンピュータ・コード97は、ウェブ・サイト82のウェブ・ページを１つ以上伝送することを求める要求などの要求をウェブ・サイト82に送信する。ウェブ・サイト82はこの要求に対する返答を、要求されたウェブ・ページとクッキーをWebDVDシステム90に送信することにより行う。ステップ53でWebDVDシステム90は、ウェブ・サイト82により送信されたクッキーを受信する。ステップ54でコンピュータ・コード97は、図6A、図6B、または図6Cの各々に表されている拡張されたクッキー41、42、または43などの拡張されたクッキーを形成するべく受信されたクッキーに、DVD拡張文字列を加える。ステップ55でコンピュータ・コード97は、これらの拡張されたクッキーを、メモリ・デバイス94内などの格納エリア内に格納する。拡張されたクッキーを格納する前に、同じDVD拡張文字列を有する第二クッキーがメモリ・デバイス94内に既に存在している場合、コンピュータ・コード97はこの第二クッキーを、新たに形成された拡張されたクッキーに置換する。この拡張されたクッキーのDVD拡張文字列は、図8に示すクッキーに対するウェブ・サイトのアクセスを条件付きで除外するために後で用いられる。
【００３９】
図8はステップ61〜65を示すフローチャートであり、本発明にしたがって、目標とされているウェブ・サイトによる、拡張されたクッキーに対するアクセスを、クッキーのDVD拡張文字列を選別することに基づいて除外することを表している。図7のステップ61〜65に関する以下の説明で参照されている図面参照番号に関しては、図1と図2を参照されたい。ステップ61でWebDVDユーザは、DVDデバイス9上でDVDディスク11を走らせる99。DVDディスク11は、WebDVDシステム90との通信（例えばウェブ・ページの送信）をDVDディスク11に関連付けて行うために目標とされているウェブ・サイト82を識別する。しかしながら、関連付けられている拡張されたクッキーが、この拡張されたクッキーのDVD拡張文字列内で識別されている、DVDディスク11に関連付けられた特定のコンテンツを含んでいない場合には、他のDVDディスクもウェブ・サイト82を目標として、ウェブ・サイト82へのクッキーの伝送を本発明により妨げる（つまり防止する）ようにしてもよい。したがってステップ62でコンピュータ・コード97は、DVDディスク11に関連付けられた特定のコンテンツが、拡張されたクッキー内のテキストにマッチングするか否かを決定する。DVDディスク11に関連付けられた特定のコンテンツが、拡張されたクッキー内のテキストにマッチングしない場合、ステップ65で示すようにコンピュータ・コード97はクッキーなしで要求をウェブ・サイト82に送信する。DVDディスク11に関連付けられた特定のコンテンツが、拡張されたクッキー内のテキストにマッチングする場合、コンピュータ・コード97はステップ63を実行する。ステップ63では、ウェブ・サイト82からのクッキーのアクセスを、クッキー内のドメイン属性とパス属性に基づいて除外すべきか否かが決定される。ただしこれらのドメイン属性とパス属性は、ウェブ・サイトに対するクッキーのアクセスを制御するものとして当業者に知られているものに限られる。コンピュータ・コード97が、ウェブ・サイト82に対するクッキーのアクセスをクッキー内のドメイン属性とパス属性に基づいて除外することを決定した場合、コンピュータ・コード97はステップ65に示すように、クッキーなしで要求をウェブ・サイト82に送信する。コンピュータ・コード97が、ウェブ・サイト82に対するクッキーのアクセスをクッキー内のドメイン属性とパス属性に基づいて除外することはしないと決定した場合、コンピュータ・コード97はステップ64に示すように、クッキーと共に要求をウェブ・サイト82に送信する。
【００４０】
コンピュータ・コード97がウェブ・サイト82にクッキーを送信した場合、
1) DVD拡張文字列34により拡張された拡張されたクッキーをウェブ・サイト82に送信すること、または、
2) DVD拡張文字列34なしで（つまり拡張されたクッキーからDVD拡張文字列を除去して）クッキーをウェブ・サイト82に送信すること、
の何れかが本発明の範囲内となる。
【００４１】
図8には特定順序の特定の処理ステップが示されているが、図8の処理ステップを、当業者に知られているまたは明らかな内容と順序に変えて、ウェブ・サイト82へのクッキーのアクセスを除外すべきか否かを決定してもよい。例えばステップ62と63の順序を入れ替えてもよい。更にステップ63を省略してもよい。ステップ63を省略した場合、ウェブ・サイト82にクッキーを送信すべきか否かという判断は、専らステップ62のテスト、つまり拡張されたクッキーが、拡張されたクッキーのDVD拡張文字列内で識別される、DVDディスク11に関連付けられた特定のコンテンツ、を含んでいるか否かを考慮することにより決定される。
【００４２】
DVD拡張文字列34を作成し、かつこの文字列を通常のクッキー32に加えることは、ソフトウエア、つまり図1のメモリ・デバイス94内に示されているコンピュータ・コード97により実施される。前述した、DVDプレーヤによるWebDVDシステム90の実施例の場合い、コンピュータ・コード97は、WebDVDシステム90とDVDデバイス92に特定のソフトウエアを表す。前述した、一体化されたデバイスによるWebDVDシステム90の実施例の場合、コンピュータ・コード97はWebDVDシステム90、DVDデバイス92、および電子デバイス100に特定のソフトウエアを表す。前述した、コンピュータ・システムによる実施例の場合、コンピュータ・コード97は、本発明による、DVD拡張文字列をクッキーに加える能力と、当該DVD拡張文字列を分析する能力とを持つ、コンピュータ・システムにより用いられるウェブ・ブラウザを表したり、またはこれに代えてコンピュータ・コード97は、コンピュータ・システムに入力またはダウンロードされる特別なソフトウエアを表してもよい。
【００４３】
実施例によっては、WebDVDシステム90は拡張されたクッキーしか格納しなっかたり、または通常のクッキーと拡張されたクッキーの両方を格納してもよい。WebDVDシステム90が、拡張されたクッキーしか格納しない場合、WebDVDシステム90は、当該拡張されたクッキーを含む単一のクッキー・ファイルを有し、通常のクッキーは全く含まないであろう。WebDVDシステム90が、通常のクッキーと拡張されたクッキーの両方を格納する場合、WebDVDシステム90は、通常のクッキーと拡張されたクッキーの両方を含む単一のクッキー・ファイル、または通常のクッキーしか含まない第一クッキー・ファイルと、拡張されたクッキーしか含まない第二クッキー・ファイルとを有するであろう。WebDVDシステム90は、通常のクッキーと拡張されたクッキーを、当業者には明らかな他の方法で組み合わさたりまたは分離させてもよい。
【００４４】
図9は、本発明の実施例による、DVDディスク11に関連付けられた特定のコンテンツのテーブルである。図9によると、DVDディスク11に関連付けられ、かつDVD拡張文字列内で用いられる特定のコンテンツは特に、DVDディスク11に関連しかつDVDディスク11上に現れたりまたはDVDディスク11に関連付けられた以下の特定のコンテンツの何れか、または以下の特定のコンテンツの任意の結合体を含めてよい。DVDディスク11内に含まれているデータのTitleID、PublisherID、PublisherGroupId、PublisherUniverseId、DiscID、DiscFamilyID、WebUniverseId、およびハッシュ関数。
【００４５】
TitleIDは、DVDディスク11の対象コンテンツを識別し、同じの対象コンテンツを持つ他のDVDディスクを区別しない。
【００４６】
PublisherIDは、DVDディスク11の発行元を識別する。
【００４７】
PublisherGroupIdは、DVDディスク11と直接的または間接的な関係を持つDVD発行元群を識別する。例えばこの群にはDVDディスク11の発行元を含めて、この群のメンバはDVDディスク11の発行元との関係を持ってもよい。
【００４８】
PublisherUniverseIdは、存在するDVDディスクの全ての発行元の全体を識別する。PublisherUniverseIdが用いられた場合、クッキーのコンテンツは、DVDディスクの全ての発行元の当該全体との互換性を有するように標準化しなければならない。PublisherUniverseIdは、WebDVD用の汎用クッキーの第一バージョンと見なしてよい。
【００４９】
DiscIDはDVDディスク11自体を識別し、同じTitleIDを持つ他のDVDディスクを区別する。DVDディスク11の製造時にDiscIDがDVDディスク11上に作成されない場合、DVDディスク11が書き換え可能なディスクであれば、DVDディスク11上にDiscIDを後で作成することができる。
【００５０】
DiscFamilyIDは、対象、著者、発行元、発行年、発行国などの何らかの関連性を有する関連するDVDディスクのファミリ（つまり「ディスク・ファミリ」）を識別する。
【００５１】
WebUniverseIdは、DVDディスクにより目標とされている全てのウェブ・サイトの全体を識別する。WebUniverseIdが使用された場合、DVDディスクにより目標とされている全てのウェブ・サイトの当該全体との互換性を有するように、クッキーのコンテンツを標準化する必要がある。WebUniverseIdは、WebDVD用の汎用クッキーの第二バージョンと見なしてよい。
【００５２】
DVDディスク11内に含まれているデータのハッシュ関数は、DVDディスク11上に現れる「統計学的に一意な」どのデータからでも生成可能である。ハッシュ関数の結果は、DVD拡張文字列の特定のコンテンツとなる。ハッシュ関数が2つのデータ項目に対して等しい結果を生成する確率が小さい（例えば10 -4未満の）場合、これらの2つのデータ項目はハッシュ関数に対して「統計学的に一意」である。このような統計学的に一意のデータには、一次ボリューム記述子 (Primary Volume Descriptor) テーブル内のボリューム・セット識別子 (Volume Set Identifier) フィールド内の一意の数などの、テーブル内に位置するデータ・ポインタ；ifoファイル内などの、コンテンツとメニューを定めるファイル内のフィールド；セル経過時間；セルの開始アドレスまたは終了アドレス；ビデオ・オブジェクト・ユニット (VOBU) の開始アドレスなどが挙げられる。
【００５３】
DVD拡張文字列に含めてよい前述のパラメータの様々な群は、パラメータの階層として特徴付けることができる。このような階層は各々、パラメータのシーケンスを有する。このシーケンスは、シーケンスの最も一般的なパラメータで始まり、かつシーケンスの最も一般的でないパラメータで終了する。このような階層の第一例は、WebUniverseID、PublisherUniverseId、PublisherGroupId、およびPublisherIDである。このような階層の第二例は、WebUniverseID、DiscFamilyID、TitleID、およびDiscIDである。所定の階層内の各パラメータは、異なる階層レベルに存在する。上述した第二例の階層の場合、WebUniverseID、DiscFamilyID、TitleID、およびDiscIDというパラメータは、第二階層の第一レベル、第二レベル、第三レベル、および第四レベルに各々存在する。最高レベルから最低レベルに至るアレンジメントでは、第一階層レベルは第二階層レベルよりも高いレベルにあるものとして定義され、第二階層レベルは第三階層レベルよりも高いレベルにあるなどと定義される。DVD拡張文字列は、所定の階層内に1つのレベルを有することができる。これに代えてDVD拡張文字列は、例えばPublisherIdとTitleIDとの結合体のような、第一階層内の一レベルと第二階層内の一レベルとの結合体を有してもよい。同じ階層の異なるレベルの結合体をDVD拡張文字列内に含ませることは本発明の範囲内にあるが、同じ階層の異なるレベルのこのような結合体を用いることは、同じ階層の当該異なるレベルの最高レベルだけを用いることと論理的に同等なので、同じ階層の低いレベルを含める必要はない。
【００５４】
DVD拡張文字列には特に、DVDディスク11に関連し、かつDVDディスク11上に現れるたりまたはDVDディスク11に関連付けられた以下の特定のコンテンツの何れか、または任意の結合体を含めてよい。DVDディスク11内に含まれているデータのTitleID、PublisherID、PublisherGroupId、PublisherUniverseId、DiscID、DiscFamilyID、WebUniverseId、およびハッシュ関数。
【００５５】
以下のリストは、DVD拡張文字列内のパラメータまたはパラメータの結合体の例を示している。DVDディスク11のTitleIDとPublisherID；DVDディスク11のTitleID；DVDディスク11のPublisherID；DVDディスク11のPublisherGroupID；DVDディスク11上のPublisherUniverseId；DVDディスク11のDiscID；DVDディスク11のDiscFamilyID；DVDディスク11上のWebUniverseId；およびDVDディスク11内に含まれているデータのハッシュ関数。
【００５６】
WebDVDシステム90のユーザが、前述のパラメータの個別のものまたは結合体を特定または選択して、DVD拡張文字列内に挿入できるようにしてもよい。DVD拡張文字列に挿入するための前述のパラメータが個別にまたは結合体としてデフォルトで存在してもよい。ユーザは、DVD拡張文字列内に含ませるべき、特定のコンテンツの一部を選択してもよい。この部分は、DVD拡張文字列内に含ませるべき特定のコンテンツ全体から成っていてもよい。アルゴリズムまたは他の任意の手段を用いて、DVD拡張文字列内に挿入させる前述のパラメータを個別にまたは結合体として指定してもよい。
【００５７】
本発明のクッキーは、WebDVDシステム90の読み込み可能なメモリ・デバイス内に格納されているクッキー・ファイル内に埋め込んでもよいが、本発明のクッキーは、WebDVDシステム90の読み込み可能なメモリ・デバイス内に任意の態様で格納してもよい。例えば本発明のクッキーは特に、WebDVDシステム90の読み込み可能なメモリ・デバイス内のファイル、テーブル、アレイ、キャッシュされたデータなどの中に格納してよい。
【００５８】
本出願で説明した実施例は、DVDディスク（例えば、図2と図3のDVDディスク11）に関して示されているが、本発明は本出願でDVDディスク11により例示されているからといってDVDディスクに限定されるわけではない。本発明の範囲は全体として、ROM、ライト・ワンス、および書き換え可能なディスクを含む、（例えば、CD、DVD、ブルーレイ (Blu-ray) などの）何らかの物理的なディスク・フォーマット持ついかなる媒体も含んでいる。本発明は全体として、（例えば、ビデオ、オーディオ、ゲームなどの）異なる適用フォーマットを含むディスクに適用される。
【００５９】
本出願では、本発明の実施例を例示目的のために説明してきたが、多くの変更態様と変化態様が当業者には明らかとなるであろう。したがって添付の請求の範囲は、本発明の真の趣旨と範囲内にある変更態様と変化態様を全て含むことを意図している。
【図面の簡単な説明】
【００６０】
【図１】WebDVDシステムがDVDデバイスを含むように、通信リンクによりウェブ・サイトにリンクされた、本発明の実施例によるWebDVDシステムを表す。
【図２】DVDディスクが上に配置された、本発明の実施例による図1のDVDデバイスを表す。
【図３】本発明の実施例による図2のDVDディスクを表す。
【図４】本発明の実施例によるクッキー・ファイルを表す。
【図５】本発明の実施例による通常のクッキーを表す。
【図６Ａ】本発明の実施例による、プレフィックス拡張文字列により拡張された図5の通常のクッキーを表す。
【図６Ｂ】本発明の実施例による、サフィックス拡張文字列により拡張された図5の通常のクッキーを表す。
【図６Ｃ】本発明の実施例による、内部拡張文字列により拡張された通常のクッキーを表す。
【図７】本発明の実施例にしたがって、通常のクッキーの処理時にDVD拡張文字列を通常のクッキーに加えることを表すフローチャートである。
【図８】本発明の実施例にしたがって、目標とされているウェブ・サイトによる、拡張されたクッキーに対するアクセスを、クッキーに加えられたDVD拡張文字列に基づいて除外することを示すフローチャートである。
【図９】本発明の実施例による、DVDに関連付けられた特定のコンテンツのテーブルである。
【符号の説明】
【００６１】
11…DVDディスク
12…補助的なデータ・エリア
19…トラック
21…駆動装置
22…読み取り／書き込みヘッド
25…位置決め装置
27…スピンドル
28…データ装置
80…通信リンク
82…ウェブ・サイト
90…WebDVDシステム
91…プロセッサ
92…入力デバイス
93…出力デバイス
94…メモリ・デバイス
95…表示デバイス
96…入力データ
97…コンピュータ・コード
98…DVDデータ
99…DVDデバイス
100…電子デバイス
【図１】
2005537564.tif 000003
【図２】
2005537564.tif 000004
【図３】
2005537564.tif 000005
【図４】
2005537564.tif 000006
【図５】
2005537564.tif 000007
【図６Ａ】
2005537564.tif 000008
【図６Ｂ】
2005537564.tif 000009
【図６Ｃ】
2005537564.tif 000010
【図７】
2005537564.tif 000011
【図８】
2005537564.tif 000012
【図９】
2005537564.tif 000013
【手続補正書】
【提出日】平成17年4月11日(2005.4.11)
【手続補正１】
【補正対象書類名】特許請求の範囲
【補正対象項目名】全文
【補正方法】変更
【補正の内容】
【特許請求の範囲】
【請求項１】
WebDVDシステムにより、前記WebDVDシステムに含まれているDVDデバイスであって、前記DVDディスクにより目標とされているウェブ・サイトに通信リンクによりリンクされているDVDデバイス上でDVDディスクを走らせることと、
当該走らせることの間、クッキーを生成するクッキー生成コマンドを前記WebDVDシステムにより前記ウェブ・サイトから受信することと、
前記クッキー生成コマンドにより指定されているクッキーを前記WebDVDシステムにより生成することと、
前記DVDディスクに関連付けられている特定のコンテンツを含むDVD拡張文字列を前記WebDVDシステムにより前記クッキーに加えて、拡張されたクッキーを形成することと、
前記WebDVDシステムに含まれている読み込み可能なメモリ・デバイスに前記拡張されたクッキーを格納することと、
を含む、クッキーを拡張するための方法。
【請求項２】
当該格納が、前記読み込み可能なメモリ・デバイス内の第二クッキーを前記第一クッキーに置換することが、前記第二クッキーが、前記DVDディスクに関連付けられている前記特定のコンテンツを含んでいる場合に行われることを含む、請求項１の方法。
【請求項３】
前記DVD拡張文字列内に含ませる前記特定のコンテンツの部分を、前記DVDシステムのユーザにより選択することを更に含む、請求項１の方法。
【請求項４】
前記DVDディスクに関連付けられている前記特定のコンテンツが、前記DVDディスクのTitleIDとPublisherIDとを有する、請求項１の方法。
【請求項５】
前記DVDディスクに関連付けられている前記特定のコンテンツが、前記DVDディスクのTitleIDを有する、請求項１の方法。
【請求項６】
前記DVDディスクに関連付けられている前記特定のコンテンツが、前記DVDディスクのPublisherIDまたは前記DVDディスクのPublisherGroupIDを有する、請求項１の方法。
【請求項７】
前記DVDディスクに関連付けられている前記特定のコンテンツが、PublisherUniverseIDまたはWebUniverseIDを有する、請求項１の方法。
【請求項８】
前記DVDディスクに関連付けられている前記特定のコンテンツが、前記DVDディスクのDiscIDを有する、請求項１の方法。
【請求項９】
前記DVDディスクに関連付けられている前記特定のコンテンツが、前記DVDディスクが属するディスク・ファミリのDiscFamilyIdを有する、請求項１の方法。
【請求項１０】
前記DVDディスクに関連付けられている前記特定のコンテンツが、TitleID、PublisherID、PublisherGroupId、PublisherUniverseId、DiscID、DiscFamilyID、WebUniverseId、およびこれらの結合体から成る群から選択されたIDを有する、請求項１の方法。
【請求項１１】
前記DVDディスクに関連付けられている前記特定のコンテンツが、前記DVDディスク内に含まれているデータのハッシュ関数を有する、請求項１の方法。
【請求項１２】
前記DVD拡張文字列が、DVDプレフィックス拡張文字列である、請求項１の方法。
【請求項１３】
前記DVD拡張文字列が、DVDサフィックス拡張文字列である、請求項１の方法。
【請求項１４】
前記DVD拡張文字列が、DVD内部拡張文字列である、請求項１の方法。
【請求項１５】
前記WebDVDシステムが、前記DVDデバイスを含むWebDVDプレーヤを有する、請求項１の方法。
【請求項１６】
前記WebDVDプレーヤが、前記DVDディスクに関するデータを表示するための表示デバイスを含む、請求項15の方法。
【請求項１７】
前記表示デバイスが、前記WebDVDプレーヤの外部にある、請求項16の方法。
【請求項１８】
前記表示デバイスがテレビジョンである、請求項17の方法。
【請求項１９】
前記WebDVDシステムが、前記DVDデバイスを前記通信リンクに結合させるコンピュータ・システムを有し、かつ前記DVDデバイスが、前記コンピュータ・システムの外部にある、請求項１の方法。
【請求項２０】
前記WebDVDシステムが、前記DVDデバイスを前記通信リンクに結合させるコンピュータ・システムを有し、かつ前記DVDデバイスが、前記コンピュータ・システムの内部にある、請求項１の方法。
【請求項２１】
前記WebDVDシステムが、前記DVDデバイスと連動するように適合化された電子デバイスを更に含む、請求項１の方法。
【請求項２２】
家電デバイスが、前記DVDデバイスに結合された前記電子デバイスを含む、請求項21の方法。
【請求項２３】
前記家電デバイスが、ビデオ・ゲーム・プレーヤを有する、請求項22の方法。
【請求項２４】
前記家電デバイスが、DVD-VHSデバイスを有する、請求項22の方法。
【請求項２５】
前記通信リンクが、インターネットを有する、請求項１の方法。
【請求項２６】
DVDデバイスを含むWebDVDシステムの読み込み可能なメモリ・デバイスから、DVD拡張文字列を含んでいるクッキーを検索することと、
前記DVD拡張文字列が、前記DVDディスクに関連付けられている特定のコンテンツを含んでいない場合は、通信リンクにより前記ウェブ・サイトにリンクされている前記DVDデバイス上で走っているDVDディスクにより目標とされているウェブ・サイトへの前記クッキーの伝送を妨げることと、
を含む、クッキーを選別するための方法。
【請求項２７】
前記DVD拡張文字列が、前記DVDディスクに関連付けられている前記特定のコンテンツを含んでいる場合は、前記クッキーを前記ウェブ・サイトに伝送することを更に含む、請求項26の方法。
【請求項２８】
前記DVDディスクに関連付けられている特定のコンテンツが、前記DVDディスクのPublisherIDを有する、請求項26の方法。
【請求項２９】
前記DVDディスクに関連付けられている前記特定のコンテンツが、前記DVDディスクのPublisherGroupIDを有する、請求項26の方法。
【請求項３０】
クッキーを拡張させるWebDVDシステムを有するネットワークであって、前記WebDVDシステムが、
前記DVDディスクにより目標とされているウェブ・サイトに通信リンクによりリンクされている、前記WebDVDシステムに含まれているDVDデバイス上で、DVDディスクを走らせ、
前記DVDディスクが前記DVDデバイス上で走っている間に、クッキーを生成するクッキー生成コマンドを前記ウェブ・サイトから受信し、
前記クッキー生成コマンドにより指定されているクッキーを生成し、
前記DVDディスクに関連付けられている特定のコンテンツを含んだDVD拡張文字列を前記クッキーに加えて、拡張されたクッキーを形成し、かつ、
前記WebDVDシステムに含まれている読み込み可能なメモリ・デバイス内に前記拡張されたクッキーを格納する、
ように適合化されたネットワーク。
【請求項３１】
クッキーを拡張するためのコンピュータが読み取り可能なプログラム・コードがその中で具現化された、コンピュータが使用可能な媒体、を有するコンピュータ・プログラム製品であって、
当該コンピュータ・コードが、WebDVDシステムの読み取り可能な格納デバイス内に埋め込まれており、
当該コンピュータ・コードが、
前記WebDVDシステムに含まれているDVDデバイスであって、前記DVDディスクにより目標とされているウェブ・サイトに通信リンクによりリンクされていることを特徴とするDVDデバイス上でDVDディスクを走らせ、
前記DVDディスクが前記DVDデバイス上を走っている間に、クッキーを生成するクッキー生成コマンドを前記ウェブ・サイトから受信し、
前記クッキー生成コマンドにより指定されているクッキーを生成し、
前記DVDディスクに関連付けられている特定のコンテンツを含んだDVD拡張文字列を前記クッキーに加えて、拡張されたクッキーを形成し、かつ、
前記拡張されたクッキーを、前記WebDVDシステムに含まれている読み込み可能なメモリ・デバイス内に格納する、
ように適合化されたアルゴリズムを有する、コンピュータ・プログラム製品。
【請求項３２】
DVDディスクがその上を走るDVDデバイスを含んだWebDVDシステムの読み込み可能なメモリ・デバイス内に埋め込まれた、DVD拡張文字列を有するクッキーであって、
前記DVD拡張文字列が、前記DVDディスクに関連付けられている特定のコンテンツを含んでいない場合には、前記クッキーがウェブ・サイトに伝送されず、かつ、
前記ウェブ・サイトが、前記DVDディスクにより目標とされており、かつ通信リンクにより前記DVDディスクにリンクされている、
クッキー。
【国際調査報告】
2005537564.tif 000014
2005537564.tif 000015